(57)【要約】【課題】ミシンの生産数量をより精度良くカウントする。【解決手段】ミシン１０が被縫製物に対して行う一つの作業工程の実行数を生産数量としてカウントするミシンの生産数量カウント装置において、作業工程中のイベントを検出するイベント検出手段４１と、イベントの予定回数を設定入力するイベント回数設定手段２０と、イベントの発生を検出してその発生回数を記録するイベント計数手段４１と、イベントの発生回数が設定された予定回数に達すると生産数量を一つカウントする生産数量計数手段４１と、イベントを実行させるエラーの発生を検出するエラー検出手段１４とを備え、イベント計数手段は、エラーの発生が検出された場合にイベント発生回数の記録値を一つ減じる処理又はエラー検出時のイベントについて発生回数として記録しない処理を行う。【選択図】図８
2010263977.tif 000002
【特許請求の範囲】
【請求項１】
ミシンが被縫製物に対して行う一つの作業工程の実行数を生産数量としてカウントするミシンの生産数量カウント装置において、
前記作業工程中に発生する所定のイベントを検出するイベント検出手段と、
前記作業工程中に発生する前記イベントの予定回数を設定入力するイベント回数設定手段と、
前記検出されたイベントの発生回数を記録するイベント計数手段と、
前記イベントの発生回数が前記設定入力された予定回数に達すると前記生産数量を一つカウントする生産数量計数手段と、
前記イベントを実行させるエラーの発生を検出するエラー検出手段とを備え、
前記イベント計数手段は、前記エラーの発生が検出された場合に、前記イベント発生回数の記録値を一つ減じる処理又は前記エラー検出時のイベントについて発生回数として記録しない処理を行うことを特徴とするミシンの生産数量カウント装置。
【請求項２】
前記作業工程の一工程の完了を手動で入力する生産数量手動入力手段を設け、
前記生産数量計数手段は、前記生産数量手動入力手段からの入力の場合にも前記作業工程の実行数を一つカウントする処理を行うことを特徴とする請求項１記載のミシンの生産数量カウント装置。
【請求項３】
前記生産数量計数手段は、前記イベント計数手段のイベント発生回数の記録値に基づく生産数量のカウントを行う自動処理と、前記生産数量手動入力手段の入力に基づく生産数量のカウントを行う手動処理のいずれかを実行すると共に、
前記自動処理と手動処理のいずれを実行するかの選択を設定入力するカウント選択手段を備えることを特徴とする請求項２記載のミシンの生産数量カウント装置。
【請求項４】
前記所定のイベントは縫い糸の切断動作であり、
前記エラー検出手段は、前記エラーとして糸切れの検出を行うことを特徴とする請求項１から３のいずれか一項に記載のミシンの生産数量カウント装置。
【発明の詳細な説明】
【技術分野】
【０００１】
本発明は、縫製作業における一つの作業工程の実行数を生産数量としてカウントするミシンの生産数量カウント装置に関する。
【背景技術】
【０００２】
ミシンの縫製作業は複数の工程からなり、多数のミシンを用いて大量の衣類の縫製を行う縫製工場などでは、工程ごとに実行された縫製枚数を生産数量として集計し、各工程の進行を管理することで計画的な生産を実現している。
そして、このような現場では、各ミシンついて縫製の一つの工程が行われるたびに生産数量をカウントする生産数量カウント装置がミシンに搭載されており、各ミシンごとの生産数量の記録が行われていた。
かかる従来の生産数量カウント装置は、ミシンの糸切りの操作指示を検出すると、当該糸取りを一つの工程の終了と見なしてカウントアップを行っていた（例えば、特許文献１参照）。
【先行技術文献】
【特許文献】
【０００３】
【特許文献１】特開２００８−２４６０２１号公報
【発明の概要】
【発明が解決しようとする課題】
【０００４】
しかしながら、従来のシステムでは、糸切り動作を一つのイベントとした場合に、一回の縫製工程において予め定められた回数だけイベントが発生した場合に一つの縫製工程が終了したものと判断し、生産数量を自動的にカウントしていた。例えば、１工程につき３回の糸切りの実行が予定されている場合には、糸切りの検出が３回行われると生産数量１カウントと判断している。この場合には、途中で予定しない糸切れ（糸の切断）などが発生すると、一旦、糸切りを実行してから作業の復旧を行う必要があるため、糸切り回数が増えてしまい、その結果、生産数量のカウント値に誤差が生じてしまうという問題があった。
【０００５】
本発明は、生産数量をより適切にカウントすることをその目的とする。
【課題を解決するための手段】
【０００６】
請求項１記載の発明は、ミシンが被縫製物に対して行う一つの作業工程の実行数を生産数量としてカウントするミシンの生産数量カウント装置において、前記作業工程中に発生する所定のイベントを検出するイベント検出手段と、前記作業工程中に発生する前記イベントの予定回数を設定入力するイベント回数設定手段と、前記イベントの発生を検出してその発生回数を記録するイベント計数手段と、前記イベントの発生回数が前記設定入力された予定回数に達すると前記生産数量を一つカウントする生産数量計数手段と、前記イベントを実行させるエラーの発生を検出するエラー検出手段とを備え、前記イベント計数手段は、前記エラーの発生が検出された場合に、前記イベント発生回数の記録値を一つ減じる処理又は前記エラー検出時のイベントについて発生回数として記録しない処理を行うことを特徴とする。
【０００７】
請求項２記載の発明は、請求項１記載の発明と同様の構成を備えると共に、前記作業工程の一工程の完了を手動で入力する生産数量手動入力手段を設け、前記生産数量計数手段は、前記生産数量手動入力手段からの入力の場合にも前記作業工程の実行数を一つカウントする処理を行うことを特徴とする。
【０００８】
請求項３記載の発明は、請求項２記載の発明と同様の構成を備えると共に、前記生産数量計数手段は、前記イベント計数手段のイベント発生回数の記録値に基づく生産数量のカウントを行う自動処理と、前記生産数量手動入力手段の入力に基づく生産数量のカウントを行う手動処理のいずれかを実行すると共に、前記自動処理と手動処理のいずれを実行するかの選択を設定入力するカウント選択手段を備えることを特徴とする。
【０００９】
請求項４記載の発明は、請求項１から３のいずれか一項に記載の発明と同様の構成を備えると共に、前記所定のイベントは縫い糸の切断動作であり、前記エラー検出手段は、前記エラーとして糸切れの検出を行うことを特徴とする。
【発明の効果】
【００１０】
請求項１記載の発明は、毎回の作業工程の実行ごとに、工程中で検出されるイベントの記録回数が予め設定された予定回数に達するか否かを判定し、達成すると一つの作業工程が終わったものとして生産数量を一つカウントする。
そして、作業工程中において、エラーの発生が検出された場合には、イベントを一回分記録しないか或いは記録回数を一つ減じる処理を行うので、予定されていない不正規なイベントについて発生回数として記録されることにより生産数量のカウントを誤るという事態を解消することが可能となり、より適切な生産数量のカウントが可能となる。
なお、エラーとは、イベントの実行を余儀なくさせるような不正規の要因のことを示すものとする。
【００１１】
なお、上記「イベント」としては、後述する縫い糸の切断（糸切り）動作などの他、一回の縫製工程で決まった予定回数だけ実行させる他の処理や動作であっても良い。例えば、角のある多角形状に沿って縫いを行う作業工程の場合、角ごとに縫い針を下降位置のまま一時的に停止させて、布押さえを上昇させてから突き刺さったままの縫い針を中心にして被縫製物の回転作業を行い、被縫製物の向きを整えてから縫いを再開する。このような縫製工程の場合には、角ごとの布押さえの上昇動作が予定回数実行されるので、押さえ足の上昇動作を「イベント」とすることができる。そして、「イベント検出手段」は押さえ足の上昇動作を検出する手段であればよい。
また、縫い糸の切断動作や布押さえの上昇動作を「イベント」とする場合の「エラー検出手段」が検出を行う「エラー」としては、縫い糸の切断や布押さえの上昇を余儀なくさせる事態がこれに該当し、例えば、不慮の糸切れ（上糸下糸いずれでも良い、以下、「糸」又は「縫い糸」という場合、いずれも同様とする）、縫い糸の使い果たし又は縫い糸の補充等が挙げられる。そして、「エラー検出手段」は、糸切れや縫い糸の使い果たしの発生を検出する検出手段などを用いることができる。なお、「糸切り」は縫い糸を必要により切断することを示し、「糸切れ」は予定せずに不慮の要因により縫い糸がちぎれることを示すものとする。
【００１２】
請求項２記載の発明は、生産数量手動入力手段により作業工程の一工程の完了を手動で入力することができるので、エラーの発生にかかわらず手動で生産数量をカウントさせるようにすることもでき、より適切な生産数量のカウントが可能となる。
【００１３】
請求項３記載の発明は、生産数量計数手段が、イベント計数手段のイベント発生回数の記録値に基づく生産数量のカウントを行う自動処理と、生産数量手動入力手段の入力に基づくカウントを行う手動処理のいずれを実行するか設定することを可能としているので、選択に従っていずれか一方のみを実行させることが可能となる。
【００１４】
請求項４記載の発明は、所定のイベントを縫い糸の切断動作とし、エラーを糸切れとしているので、いずれも容易に検出ができ、容易且つ確実な生産数量のカウントが可能となる。
【図面の簡単な説明】
【００１５】
【図１】発明の実施形態である生産管理ミシンの構成を示す正面図である。
【図２】生産管理ミシンの制御系を示すブロック図である。
【図３】糸切れ検出装置の斜視図である。
【図４】糸切れ検出装置の他の例の斜視図である。
【図５】操作パネルの表示例である。
【図６】操作パネルの他の表示例である。
【図７】操作パネルのさらに他の表示例である。
【図８】縫製動作中の処理を示すフローチャートである。
【図９】手動カウントモードにおける処理を示すフローチャートである。
【発明を実施するための形態】
【００１６】
（発明の実施形態の全体構成）
以下、図面を参照して、本発明に係る生産数量カウント装置を搭載した生産管理ミシン１０について図１乃至図９に基づいて説明する。図１は生産管理ミシン１０の概略構成を示す正面図、図２は制御系を示すブロック図である。
生産管理ミシン１０は、図１に示すように、ミシンを起動させる電源スイッチ４と、縫製の駆動源となる主軸モータであるミシンモータ５と、ミシンモータ５の回転駆動がベルトなどの駆動伝達手段６を介して伝達されて回転するミシン主軸１と、その主軸１の回転に伴い上下動する針棒２と、針棒２下端部に保持された縫い針３と、縫い針３の針落ち位置において被縫製物を上方から押さえる布押さえ１７と、針棒２（縫い針３）の下方において被縫製物を布送りする布送り機構８と、ミシン１０を操作するためのペダル７と、ミシンの各部を制御する制御装置１１（図２参照）が内部に収容されている制御ボックス９と、オペレータにより設定や操作の入力を行う入力部２１と所定情報の表示を行う表示部２２とを備える操作パネル２０等を備えている。
また、図２に示すように、生産管理ミシン１０は、ミシン主軸の角度を検出する検出手段としてのエンコーダ１５と、後述する各種の処理を行う制御装置１１と、縫い糸の切断を行う図示しない糸切り装置の駆動源となる糸切断ソレノイド１６と、縫製の糸切れを検出する糸切れ検出装置１４と、作業工程の一工程の完了を手動で入力する生産数量手動入力手段としてのカウントスイッチ４５と、生産管理ミシン１０により取得した生産数量のデータをミシンの外部の集計装置に移すための外部メモリ１９に対する読み取り書き込み装置１８とを備えている。
【００１７】
ペダル７は、作業者による足踏み操作が可能であり、ペダルの前端部側を踏み込む前踏みと後端部側を踏み込む後踏みによる入力が可能である。即ち、前踏みにより、ミシンモータ５を起動し縫製を開始させる指令を制御装置１１に入力し、さらに踏み込むことで踏量に応じたミシンモータ５の加減速の指令を入力することができるようになっている。
また、後踏みにより、縫い針が所定の上位置となるようにミシンモータ５を停止させると共に、糸切り装置による縫い糸の切断を指示する信号を制御装置１１に入力する。
【００１８】
糸切り装置は、針板の下側において移動動作可能に設けられた動メスと、固定装備された固定メスと、動メスに移動動作を付与する糸切断ソレノイド１６とから主に構成されている。動メスの駆動源としては、ソレノイドに限らず、モータやエアシリンダなどでも良い。
【００１９】
外部メモリ１９はいわゆる不揮発性のフラッシュメモリであり、データの書き込み消去読み取りを任意に行うことができる。読み取り書き込み装置１８はフラッシュメモリである外部メモリ１９のリード／ライトを行うためのインターフェイスである。
なお、これらに替えて、磁気ディスクや光学ディスクとそのリード／ライトを行うドライブ装置とを用いても良い。
【００２０】
布押さえ１７は、被縫製物を解放する上位置と被縫製物を押さえる下位置とに切り替え可能にミシンフレームに支持されており、その切り替えは、図示しない手動の押さえ解除レバーにより行われる。そして、下位置にあるときには押圧バネにより下方の押圧力が付与されるようになっており、布押さえ１７の下側にセットされた被縫製物が布送り機構８の送り歯と挟持され、送り歯により送り動作が被縫製物に付与されるようになっている。
【００２１】
（糸切れ検出装置）
糸切れ検出装置１４は、図３に示すように、縫い糸の供給源から縫い針３に至るまでの糸経路の途中に設けられ、縫い糸を挿通させる挿通部３１を備えた板バネなどからなる弾性体３２と、弾性体３２に貼着されてその撓みを検出する素子３３（ピエゾ素子や歪みゲージ等）とを主として備えている。
かかる弾性体３２は、挿通部３１に縫い糸を挿通させた状態で縫い糸に縫製時の通常の張力が生じている状態で撓みを生じるように設けられている。例えば、二つの糸案内３４，３４の間でこれらを結ぶ直線から逸脱するように挿通部３１が配置され、縫い糸の張力により挿通部３１が二つの糸案内３４，３４を結ぶ直線側に引っ張られることにより弾性体３２が撓むように配置されている。そして、糸切れが発生すると、張力が無くなることで弾性体３２の撓みが無くなり、かかる状態を検出素子３３の出力から検出することにより糸切れの検出を行っている。また、これと同様の構成を縫い糸に糸張力を付与する糸調子に設けられた糸取りバネに施しても良い。つまり、糸取りバネは通常の縫い糸の張力を受けることで一定方向に常時撓んだ状態となり、縫い糸の張力が無くなると、逆方向に自然位置に復帰するように設けられている。かかる糸取りバネに撓みの検出素子を設けることで上記と同じ原理で糸切れを検出することが可能である。
詳細は後述するが、制御装置１１は、生産数量のカウントを行う機能を備えており、当該生産数量のカウントのために縫い糸の切断動作の実行回数を記録する。一方、糸切れが発生した場合にもその復旧時に縫い糸の切断動作が実行される（上糸と下糸のいずれか一方に糸切れが発生した場合、他方も切断する必要がある等）。しかし、糸切れの発生による縫い糸の切断動作は縫製工程中で予定された切断動作の回数に含まれていないため、糸切れにより縫い糸の切断動作が行われた場合には、エラーによる縫い糸の切断動作であるものとして、切断動作の回数の記録から除く処理を行っている。つまり、糸切れ発生手段は、エラーの発生を検出する「エラー検出手段」として機能する。
【００２２】
また、この生産管理ミシン１０は、縫製の中断を生じる事由行う
また、糸切れ検出装置１４は、上記の構成により、縫い糸が供給源から消費し尽くした状態も同様にして検出することができる。つまり、糸切れ検出装置１４は、縫い糸の消尽検出手段としても機能する。そして、縫い糸の消尽を生じた場合にも縫い糸の切断動作により復旧させる場合があるので（上糸と下糸のいずれか一方を使い尽くした場合、使い切っていない方の糸を一回切断する必要がある等）、「縫い糸の消尽」も、予定されていない不正規な要因により縫い糸の切断動作を行わせる「エラー」と見なすことができる。つまり、このミシン１０は、「エラー検出手段」としての縫い糸の消尽検出手段を備えているとみなすことができる。
【００２３】
なお、糸切れ検出装置１４については、上述の例に限定されず、図４に示すように、挿通部３１が二つの糸案内３４，３４を結ぶ直線から逸脱するように配置され、縫い糸の張力により挿通部３１に縫い糸が摺接することにより縫製中には絶えず弾性体３２が振動するように配置され、弾性体に貼着された撓みの検出素子３３で振動状態を検出してもよい。この構造の場合、糸切れが発生すると、張力が無くなることで弾性体３２の振動が無くなり、かかる無振動状態を検出素子３３の出力から検出することにより糸切れの発生を検出することができる。同様の原理で糸取りバネの振動と無振動の監視を行い、糸切れの検出を行っても良い。
【００２４】
（操作パネル）
操作パネル２０は、図５に示すように、液晶パネルからなる表示部２２と、表示部２２の周囲に設けられた複数の押下ボタンからなる入力部２１とを備えている。
操作パネル２０は表示画面の切り替えにより各画面ごとに各種の設定を行うことが可能となっている。各設定画面は、周囲の各押下ボタンから入力可能な設定項目の表示とその設定値の表示が行われ、画面が切り替わるごとに各押下ボタンの機能も切り替わるようになっている。
ここで、操作パネル２０から設定される主要項目について図５〜図７により説明する。
操作パネル２０は、図５の初期画面の表示状態において、入力部２１の一つである設定画面呼び出しボタン２１１を押下すると、図６に示す第一の設定画面に切り替えることができる。この第一の設定画面は各種の設定内容を大項目で分類しており、当該画面の表示状態において、入力部２１の一つであるボタン２１２を押下すると、図７に示す第二の設定画面に切り替えることができる。
【００２５】
この第二の設定画面は、後述する縫製の生産数量のカウント処理に関する設定を行うための画面である。
制御装置１１は、詳細は後述するが、縫製の生産数量のカウントを行う場合に、所定のイベントの発生回数を記録し、記録回数が予定回数に至ると１つの縫製が行われたものとして生産数量を１つカウントアップする。この生産管理ミシン１０では、所定のイベントとして縫い糸の切断動作を対象としており、予定回数だけ縫い糸の切断動作が実行されると生産数量を１つカウントアップする。そして、第二の設定画面の表示状態におけるボタン２１３，２１４は、生産数量１をカウントアップさせる縫い糸の切断動作の予定回数を設定するためのボタンである。ボタン２１３により予定回数を増やし、ボタン２１４により予定回数を減らすことができる。この機能により、操作パネル２０のボタン２１３は、作業工程中に発生するイベントの予定回数を設定入力する「イベント回数設定手段」として機能することとなる。
【００２６】
また、制御装置１１は、縫製の生産数量のカウントの方式として手動カウントモード（手動処理）と自動カウントモード（自動処理）とを選択的に実行する。そして、第二の設定画面の表示状態におけるボタン２１５は手動カウントモードの選択を設定し、ボタン２１６は自動カウントモードの選択を設定するボタンである。この機能により、操作パネル２０のボタン２１５，２１６は、自動処理と手動処理のいずれを実行するかの選択を設定入力するカウント選択手段として機能することとなる。
【００２７】
さらに、制御装置１１は、縫い糸の切断動作の発生の回数の記録において、エラーにより縫い糸の切断を余儀なくされた場合には、当該エラーの発生を検出することにより、縫い糸の切断動作の記録回数を１つ減じる処理を行うことができる。そして、第二の設定画面の表示状態におけるボタン２１７は、上記エラーの発生による縫い糸切断動作記録回数減算処理を実行するか否かを設定するボタンである。ボタン２１７を押下するたびに設定と非設定とが切り替わるように入力される。
【００２８】
（制御装置）
制御装置１１は、図２に示すように、ミシンの動作を制御するＣＰＵ４１と、各種機能や動作の実現に係る各種プログラムや制御データ等を記憶するＲＯＭ４２と、ＲＯＭ４２から読み出されたプログラムやデータ等の格納領域や作業領域等を構成するＲＡＭ４３と、設定データや処理結果を保存する不揮発性メモリであるＥＥＰＲＯＭ４４とを備えている。
そして、ミシンモータ５及び糸切断ソレノイド１６は、それぞれを駆動させるドライブ回路（図示略）を介して制御装置１１に接続され、これらに対して任意に動作制御を可能としている。また、ペダル７、糸切れ検出装置１４の検出素子は、インターフェイスを介して制御装置１１に接続され、それらの検出信号はデジタル化されて入力されるようになっている。またさらに、制御装置１１は、インターフェイスを介して操作パネル２０と接続されており、操作パネル２０と各種情報を送受信可能に構成されている。
【００２９】
制御装置１１は、ＲＯＭ４２に格納された各種のプログラムをＣＰＵ４１が実行することにより、縫製動作における動作制御と、縫製作業に伴う生産数量カウントのための各種処理とを実行する。
即ち、ＣＰＵ４１は、縫製動作の動作制御として、ペダル７の前踏みによりミシンモータ５の駆動を開始すると共に踏み込み量に応じた回転速度でミシンモータ５の回転させる動作制御を行う。また、ペダル７の後踏みが行われると、エンコーダ１５により針上位置となる主軸角度を検出してミシンモータ５の駆動停止をする動作制御を行う。さらに、糸切断ソレノイド１６を駆動させて縫い糸の切断を実行する動作制御を行う。
【００３０】
また、ＣＰＵ４１は、縫製作業に伴う生産数量カウントのために、以下に示す各種処理を実行する。
ＣＰＵ４１は、一枚の被縫製物に対して一つの作業工程が施されると、生産数量を一つカウントする。そして、一回の作業工程が施されたか否かは、当該作業工程中で予め操作パネル２０により設定された予定回数だけ縫い糸の切断動作が行われたか否かにより判定する。つまり、縫製工程を一回実行するためには、当該縫製工程の中で予定されたイベント（ここでは縫い糸の切断動作）が予定された回数行われることが必須となるので、このイベント回数を検出することで縫製工程が完了したことを判定することとしている。
具体的には、ＣＰＵ４１は、縫製中において、ペダル７の後踏みにより縫い糸の切断動作指令が入力されることにより、作業工程中に発生する縫い糸の切断動作（所定のイベント）の発生を検出する。これにより、ＣＰＵ４１は、「イベント検出手段」として機能する。
そして、ＣＰＵ４１は、ペダル７の後踏みにより縫い糸の切断動作指令が入力されるたびに、指令の入力回数を積算的に記録する処理を行う。これにより、ＣＰＵ４１は、「イベント計数手段」として機能する。
そして、ＣＰＵ４１は、積算された縫い糸の切断動作の記録回数が操作パネル２０で設定された予定回数に達すると、生産数量の積算的なカウント値を一つ加算する処理を行う。これにより、ＣＰＵ４１は、「生産数量計数手段」として機能する。なお、生産数量がカウントアップすると縫い糸の切断動作の記録回数はリセットされて0に戻される。また、生産数量のカウント値はＥＥＰＲＯＭ４４と外部メモリ１９とに記録される。
また、ＣＰＵ４１は、縫製動作に予定されていない不正規の要因（エラー、具体的には糸切れや糸の消尽）により行われた切断動作を記録回数に加えることにより生産数量を誤ってカウントすることを防止するために、糸切れ検出装置１４の撓み検出素子３３の出力を監視し、糸切れ（又は糸の消尽）を示す検出が得られた場合には、現在の縫い糸切断動作の記録回数から１回分を減じる処理を実行する。なお、糸切れを示す検出が得られてから記録回数を１減じる処理に限らず、糸切れを示す検出が得られた後に実行される最初の縫い糸切断動作について記録回数の加算を行わずに無視する処理を行っても良い。
【００３１】
以上のように、生産管理ミシン１０は、「イベント回数設定手段」、「カウント選択手段」としての操作パネル２０と、「イベント検出手段」、「イベント計数手段」、「生産数量計数手段」としての制御装置１１のＣＰＵ４１と、「エラー検出手段」としての糸切れ検出装置１４と、「生産数量手動入力手段」としてのカウントスイッチ４５とからなる生産数量カウント装置をミシン内部で実現しており、実質的に生産数量カウント装置を搭載していることとなる。
【００３２】
（生産管理ミシンの動作）
以上の構成からなる生産管理ミシン１０における縫製における制御及び処理について、図８及び図９に示すフローチャートに基づき説明する。図８は縫製動作中の処理を示すフローチャート、図９は手動カウントモードにおける処理を示すフローチャートである。
まず、電源スイッチ４が入れられて縫製待機状態となると、ＣＰＵ４１は、生産数量のカウント値をリセットして0にすると共に縫い糸切断動作（イベント）の記録回数もリセットして0にする。そして、生産数量のカウント処理が自動カウントモードに設定されているか否かを判定する（ステップＳ１）。
そして、自動カウントモードに設定されていない場合には、手動カウントモードに処理が進められる（ステップＳ１６：後述）。
【００３３】
一方、自動カウントモードに設定されている場合には、ＣＰＵ４１は、ペダル７の前踏みによる縫製指令の検知を行い（ステップＳ２）、前踏みを検知するとミシンモータ５を起動させて縫製を開始する（ステップＳ３）。そして、ペダル７の前踏みが継続されているかを判定し（ステップＳ４）、継続されている間は縫製を続けて行う。このとき、ペダルの前踏み込み量に応じた速度指令を読み取り、ＣＰＵ４１は速度指令に応じた回転速度となるようにミシンモータ５の速度制御を実行する。
また、ペダル７の前踏み状態が解除されて縫製指令が途絶えていることが検知されると、ＣＰＵ４１は、エンコーダ１５の出力を監視して所定の主軸角度（上死点を幾分通過した位置）で停止するようにミシンモータ５の駆動を停止させる（ステップＳ５）。
【００３４】
ついで、ＣＰＵ４１は、ペダル７の後踏みによる縫い糸切断指令の入力の有無を検知し（ステップＳ６）、後踏みが行われてない場合にはステップＳ４に処理を戻して再びペダル７の前踏みが行われているかを判定する。
また、ステップＳ６においてペダル７の後踏みが検知されると、操作パネル２０によりエラーの発生による縫い糸切断動作記録回数減算処理の実行が設定されているか否かを判定する（ステップＳ７）。そして、上記減算処理の設定が行われていない場合には、ステップＳ１２に処理を進める。
一方、縫い糸切断動作記録回数減算処理の実行が設定されている場合には、ＣＰＵ４１は、糸切れ検出装置１４の撓みを検出する素子３３の検出信号から糸切れが発生しているか否かを判定する（ステップＳ８）。そして、発生していない場合には、ステップＳ１２に処理を進める。
一方、糸切れの発生を検出した場合には、ＣＰＵ４１は、まず、ペダル７の後踏み操作に従って糸切断ソレノイド１６を駆動させて糸切り装置による縫い糸の切断を実行させ（ステップＳ９）、縫い糸の切断動作の実行と共に、縫い糸の切断動作（イベント）の記録回数を１つ加算する（ステップＳ１０）。しかしながら、今回の縫い糸の切断動作は糸切れ（エラー）の発生を要因とするものであるため、ＣＰＵ４１は、今回の記録回数の加算を修正するために切断動作記録回数から１つ減算を行う（ステップＳ１１）。そして、処理をステップＳ２に戻し、縫製の再開待ちを行う。
【００３５】
一方、ステップＳ１２では、ＣＰＵ４１は、糸切断ソレノイド１６を駆動させて糸切り装置による縫い糸の切断を実行させる。また、縫い糸の切断動作の実行と共に、ＣＰＵ４１は、縫い糸の切断動作（イベント）の記録回数を１つ加算する（ステップＳ１３）。
そして、ＣＰＵ４１は、縫い糸の切断動作の記録回数が操作パネル２０により設定された予定回数になったか否かを判定し（ステップＳ１４）、予定回数に達していない場合にはステップＳ２に処理を戻し、縫製の再開待ちを行う。また、縫い糸切断動作の記録回数が予定回数に達した場合には、生産数量のカウント値を１加算する（ステップＳ１５）。そして、縫い糸切断動作の記録回数を0にリセットすると共に、ステップＳ２に処理を戻し、次の縫製の開始待ちを行う。
かかる処理を繰り返すことにより、生産数量が逐一カウントアップされ、ＥＥＰＲＯＭ４４等にその積算値が記録される。
【００３６】
一方、手動カウントモード（ステップＳ１：ＮＯ）の場合には、図９に示すように、ＣＰＵ４１は、カウントスイッチ４５の入力の検知を行い（ステップＳ２１）、スイッチオンされている場合には、生産数量のカウント値を１加算する（ステップＳ２２）。そして、ステップＳ２１に処理を戻し、再びカウントスイッチ４５の入力検知を行う。
また、カウントスイッチ４５がＯＮされていない場合には、ＣＰＵ４１は、ペダル７の前踏みによる縫製指令の検知を行う（ステップＳ２３）。そして、前踏みが検知されない場合は処理をステップＳ２１に戻し、前踏みを検知するとミシンモータ５を起動させて縫製を開始する（ステップＳ２４）。そして、ペダル７の前踏みが継続されているかを判定し（ステップＳ２５）、継続されている間は縫製を続けて行う。このとき、ペダルの前踏み込み量に応じた速度指令を読み取り、ＣＰＵ４１は速度指令に応じた回転速度となるようにミシンモータ５の速度制御を実行する。
また、ペダル７の前踏み状態が解除されて縫製指令が途絶えていることが検知されると、ＣＰＵ４１は、エンコーダ１５の出力を監視して所定の主軸角度（上死点を幾分通過した位置）で停止するようにミシンモータ５の駆動を停止させる（ステップＳ２６）。
【００３７】
ついで、ＣＰＵ４１は、ペダル７の後踏みによる縫い糸切断指令の入力の有無を検知し（ステップＳ２７）、後踏みが行われてない場合にはステップＳ２５に処理を戻して再びペダル７の前踏みが行われているかを判定する。
また、ステップＳ２７においてペダル７の後踏みが検知されると、ＣＰＵ４１は、糸切断ソレノイド１６を駆動させて糸切り装置による縫い糸の切断を実行させ（ステップＳ２８）、縫い糸の切断動作を実行する（ステップＳ２８）。そして、処理をステップＳ２１に戻し、カウントスイッチ４５の入力判定を行う。
かかる処理を繰り返すことにより、生産数量が逐一カウントアップされ、ＥＥＰＲＯＭ４４等にその積算値が記録される。
【００３８】
（実施形態の効果）
生産管理ミシン１０では、毎回の作業工程の実行ごとに、工程中で検出される縫い糸切断動作の記録回数が予め設定された予定回数に達するか否かに基づいて生産数量のカウントを行っており、糸切れの発生が検出された場合には、縫い糸切断動作の記録回数を一つ減じる処理を行うので、予定されていない不正規な縫い糸切断動作について発生回数として記録されることにより生産数量のカウントを誤るという事態を解消することが可能となり、より適切な生産数量のカウントが可能となる。
さらに、操作パネル２０からの自動カウントモードと手動カウントモードとの選択設定により、カウントボタン４５により作業工程の一工程の完了を手動で入力することができるので、エラーの発生にかかわらず手動で生産数量をカウントさせるようにすることもでき、より適切な生産数量のカウントが可能となる。
【００３９】
（その他）
なお、前述した自動カウント処理のステップＳ１０で縫い糸切断動作の記録回数を１つ加算した後でステップＳ１１によりエラーとして記録回数を１つ減算する処理を行っているが、縫い糸切断動作の実行に前後して糸切れが検出された場合には、その縫い糸切断動作については記録回数として加算しないように無視する処理を行っても良い。つまり、ステップＳ１０とＳ１１の処理を行わず、ステップＳ９の次にはステップＳ２に処理を戻して縫製の再開待ちを行っても良い。
【００４０】
また、上記実施形態では、生産数量カウント装置が全て生産管理ミシン１０に組み込まれているが、一部の構成については入力部と表示部とを備える外部の処理端末で行っても良い。例えば、「イベント回数設定手段」、「カウント選択手段」、「イベント検出手段」、「イベント計数手段」、「生産数量計数手段」としての機能を外部の処理端末で実行させても良い。
【００４１】
また、上記実施形態では、「イベント」を縫い糸の切断動作としているが、前述したように、布押さえの上昇動作が縫製工程中で決まった回数実行される場合には、当該布押さえの上昇動作を「イベント」としても良い。その場合、イベント検出手段は、例えば、布押さえの上昇又は下降を検出するセンサ（接点式や光学式等種類は問わない）を用いることが望ましく、「エラー検出手段」は糸切れ検出装置１４がそのまま利用することができる。
【符号の説明】
【００４２】
１０  生産管理ミシン
１１  制御装置
１４  糸切れ検出装置（エラー検出手段）
２０  操作パネル（イベント回数設定手段、カウント選択手段）
４１  ＣＰＵ（イベント検出手段、イベント計数手段、生産数量計数手段）
４５  カウントスイッチ（生産数量手動入力手段）
【図１】
2010263977.tif 000003
【図２】
2010263977.tif 000004
【図３】
2010263977.tif 000005
【図４】
2010263977.tif 000006
【図５】
2010263977.tif 000007
【図６】
2010263977.tif 000008
【図７】
2010263977.tif 000009
【図８】
2010263977.tif 000010
【図９】
2010263977.tif 000011